(57)【特許請求の範囲】
【請求項１】
撮影レンズを保持したケーシングと、
前記ケーシングに設けられると共に、該ケーシングの回転に連動されてカメラ本体に締結されることにより、ケーシングをカメラ本体に取り付けるマウント部材と、
前記ケーシングの回転を前記マウント部材に伝達する連動部材と、
前記連動部材の動力を前記マウント部材に伝達する、連動部材とマウント部材との動力伝達部に形成されると共に、前記ケーシングの取り付け方向の回転で当接される各々の面がテーパ面に形成されたストッパであって、マウント部材の締結後に、ケーシングから連動部材を介してマウント部材に伝達された取り付け方向の回転力が許容値を超えた時に、前記ストッパのうち、少なくとも一方のストッパが他方のストッパとの当接位置から退避するように基部を支点として弾性をもって片持ち支持されるとともに、前記取り付け方向と逆の取り外し方向の回転では互いに当接されて連動部材とマウント部材とを一体に回転させるストッパと、
を備えたことを特徴とするレンズ装置の取付構造。
【発明の詳細な説明】
【０００１】
【発明の属する技術分野】
本発明はレンズ装置の取付構造に係り、特に監視カメラ用のレンズ装置をカメラ本体に取り付けるためのレンズ装置の取付構造に関する。
【０００２】
【従来の技術】
監視カメラのレンズ装置は、撮影レンズがケーシングに保持され、このケーシングに設けられたマウントリングをカメラ本体に締結することにより、カメラ本体に取り付けられる。また、前記レンズ装置は、アイリスとアイリスメータとを備えたアイリスユニットが内蔵され、アイリスメータのケーブルをカメラ本体のコネクタに接続することにより、アイリスユニットが駆動されるようになっている。
【０００３】
このため、前記レンズ装置は、ケーシングとマウントリングとがストッパ同士を介して連結されており、ストッパ同士の当接によりケーシングの回転力がマウントリングに伝達されて、マウントリングがカメラ本体に締結される。そして、マウントリングの締結終了後に、ケーシングを逆方向に回動（許容角度以上回動するとストッパ同士が当接してマウントリングが緩んでしまうので、その許容角度以下の角度で回動）して、前記ケーブルの位置をコネクタに接続し易い位置に調節している。
【０００４】
【発明が解決しようとする課題】
しかしながら、従来のレンズ装置の取付構造は、マウントリングの締結終了後に、過度の回転力がケーシングからマウントリングに伝達すると、即ち、マウントリングを締め過ぎると、ストッパが破損してしまうという欠点がある。このような不具合は、ストッパを大きくして強度を上げれば解消できるが、ストッパを大きくすると、ケーブルの位置を調整するためのケーシング回動範囲が狭くなるという欠点がある。
【０００５】
本発明はこのような事情に鑑みてなされたもので、締め過ぎによるストッパの破損を防止すると共に、ケーブルの位置を調整するためのケーシング回動範囲を広くとることができるレンズ装置の取付構造を提供することを目的とする。
【０００６】
【課題を解決するための手段】
本発明は、前記目的を達成するために、撮影レンズを保持したケーシングと、前記ケーシングに設けられると共に、該ケーシングの回転に連動されてカメラ本体に締結されることにより、ケーシングをカメラ本体に取り付けるマウント部材と、前記ケーシングの回転を前記マウント部材に伝達する連動部材と、前記連動部材の動力を前記マウント部材に伝達する、連動部材とマウント部材との動力伝達部に形成されると共に、前記ケーシングの取り付け方向の回転で当接される各々の面がテーパ面に形成されたストッパであって、マウント部材の締結後に、ケーシングから連動部材を介してマウント部材に伝達された取り付け方向の回転力が許容値を超えた時に、前記ストッパのうち、少なくとも一方のストッパが他方のストッパとの当接位置から退避するように基部を支点として弾性をもって片持ち支持されるとともに、前記取り付け方向と逆の取り外し方向の回転では互いに当接されて連動部材とマウント部材とを一体に回転させるストッパと、を備えたことを特徴としている。
【０００７】
請求項１記載の発明によれば、ケーシングを取り付け方向に回転させると、その回転力が連動部材に伝達する。そして、連動部材とマウント部材とは、ストッパのテーパ面同士の当接により、連動部材の回転力がマウント部材に伝達する。これによって、マウント部材が回転されてカメラ本体に締結される。この締結終了後に、ケーシングから連動部材を介してマウント部材に過度の回転力が伝達されると、前記ストッパのうち弾性をもって支持された一方のストッパが、他方のストッパのテーパ面に押されて、他方のストッパとの当接位置から退避する。これにより、本発明は、締め過ぎによるストッパの破損を防止できる。
【０００８】
一方、ケーブルの位置を調整する際には、マウント部材の締結後にケーシングを取り付け方向に回動させれば良い。この回転力は、マウント部材に伝達されないので、ケーシングの回動範囲を広くとることができる。
【０００９】
【発明の実施の形態】
以下添付図面に従って本発明に係るレンズ装置の取付構造の好ましい実施の形態を詳述する。
図１は、本発明のレンズ装置の取付構造が適用された監視カメラ用撮影レンズの実施の形態を示す断面図である。同図に示す撮影レンズ装置１０は、ケーシング１２の前方から光軸Ｐに沿って第１のレンズ１４、アイリスユニット１６、及び第２のレンズ１８が順に配置され、ケーシング１２の後方（図中右端部）に設けられた連動リング（連動部材）２０、及びマウントリング（マウント部材）２２を介して、図中二点鎖線で示すカメラ本体２４に取り付けられる。
【００１０】
前記第１のレンズ１４は、略筒状に形成されたレンズ支持枠２６内に支持されており、このレンズ支持枠２６は、ケーシング１２内に固定されている。また、前記第２のレンズ１８も同様に略筒状のレンズ支持枠２８内に支持され、このレンズ支持枠２８はケーシング１２の後部に固定されている。
図２において前記レンズ支持枠２８の外周面にはヘリコイドねじ３０が形成され、このヘリコイドねじ３０にフォーカスリング３２のヘリコイドねじ３４が螺合されている。フォーカスリング３２を回転させると、フォーカスリング３２に対してレンズ支持枠２８、及びレンズ支持枠２６が光軸Ｐに沿って前後移動されてピント調整が行われる。ピント調整終了後、フォーカスリング３２は図示しないねじによってマウントリング２２に固定される。
【００１１】
図１において、前記アイリスユニット１６は、第１のレンズ１４と第２のレンズ１８との間に配置されており、アイリスメータ３６からの駆動力により駆動されて所望の絞り値に調節される。前記アイリスメータ３６は、レンズ支持枠２６とケーシング１２との間に形成された空間部に設置されている。また、アイリスメータ３６のケーブル３８は、ケーシング１２に形成された図示しない開口部から外部に配設されて、図中二点鎖線で示すカメラ本体２４のコネクタ４０に接続される。
【００１２】
ところで、前記連動リング２０は図２、図３に示すように、その内周面に２つのキー４２、４２が対向して形成されている。このキー４２、４２が図２に示したレンズ支持枠２８のキー溝４４、４４（下側のキーは図示せず）に係合されることにより、連動リング２０がレンズ支持枠２８に取り付けられる。また、連動リング２０は、ストッパ板４６との間に配置された板ばね４８の付勢力によって図２中左方向に付勢されている。また、連動リング２０は、マウントリング２２のストッパ板５０との間に配置された板ばね５２の付勢力によって図２中右方向に付勢されている。この板ばね５２の付勢力は、前記板ばね４８の付勢力よりも大きく設定されている。
【００１３】
図３は、図１中３−３線からみた連動リング２０とマウントリング２２の半断面図である。
同図に示すように、連動リング２０の外周面にはストッパ５４が形成される。このストッパ５４は、基部５５を介して連動リング２０に片持ち支持されると共に、基部５５を支点として連動リング２０の径方向に弾性をもって移動自在に形成されている。また、ストッパ５４の両端部にはテーパ面５４Ａ、５４Ｂが形成される。これらのテーパ面５４Ａ、５４Ｂは平行に形成されている。更に、ストッパ５４が位置する連動リング２０の外周面には凹部５６が形成される。この凹部５６は図４に示すように、ストッパ５４全体が没入可能な深さに形成されている。
【００１４】
図３、図４において、マウントリング２２の内周面にはストッパ５８が形成され、ストッパ５８の両側面にはテーパ面５８Ａ、５８Ｂが形成される。これらのテーパ面５８Ａ、５８Ｂは平行に形成されている。図３において、ケーシング１２（図１参照）の取り付け方向の回転で連動リング２０が図中閉方向に回転されると、ストッパ５４のテーパ面５４Ａがストッパ５８のテーパ面５８Ａに圧接されて、連動リング２０の回転力がマウントリング２２に伝達される。これにより、マウントリング２２が閉方向に回転されて、図１に示したカメラ本体２４のレンズ取付部２４Ａに、マウントリング２２のねじ部２２Ａが締結される。
【００１５】
一方、マウントリング２２の締結終了後に、ケーシング１２から連動リング２０を介してマウントリング２２に過度の回転力が伝達されると、ストッパ５４が、ストッパ５８のテーパ面５８Ａに押されて図４に示したように凹部５６に没入される。ストッパ５４がストッパ５８を通過すると図５に示すように、ストッパ５４が自己の復元力によって元の位置（図３に示す位置）に弾性復帰される。
【００１６】
これとは逆に、ケーシング１２を図中開方向に回転させると図６に示すように、ストッパ５４のテーパ面５４Ｂがストッパ５８のテーパ面５８Ｂに圧接されて、マウントリング２２が連動リング２０と一体に回転される。
このように構成された本実施の形態のレンズ装置の取付構造によれば、まず、図１において、マウントリング２２のねじ２２Ａをカメラ本体２４のレンズ取付部２４Ａに合わせたのち、ケーシング１２を取り付け方向に回転させると、その回転力が連動リング２０に伝達する。そして、連動リング２０とマウントリング２２とは、ストッパ５４のテーパ面５４Ａとストッパ５６のテーパ面５６Ａとが圧接した状態となり、連動リング２０の回転力がマウントリング２２に伝達する。これによって、マウントリング２２が回転されてカメラ本体２４にねじ込まれていき、レンズ装置１０がカメラ本体２４に取り付けられる。
【００１７】
次に、マウントリング２２の締結終了後に、ケーシング１２から連動リング２０を介してマウントリング２２に過度の回転力が伝達されると、ストッパ５４が、ストッパ５８のテーパ面５８Ａに強く押されて、ストッパ５４が図４に示したように、ストッパ５８との当接位置から退避して凹部５６に没入する。これにより、本実施の形態によれば、締め過ぎによるストッパ５４、５８の破損を防止できる。
【００１８】
一方、ケーブル３８の位置を調整する際には、マウントリング２２の締結後にケーシング１２を取り付け方向に回動させれば良い。この回転力はマウントリング２２に伝達されないので、ケーシングの回動範囲を広くとることができる。
これとは逆に、ケーシング１２を図３中開方向に回転させると図６に示すように、ストッパ５４のテーパ面５４Ｂがストッパ５８のテーパ面５８Ｂに圧接されて、マウントリング２２が連動リング２０と一体に回転される。これにより、本実施の形態では、レンズ装置１０をカメラ本体２４から容易に取り外すことができる。
【００１９】
本実施の形態では、取り外し方向の回転で当接されるストッパ５４、５８同士の面５４Ｂ、５８Ｂをテーパ面に形成したが、これに限られるものではなく、連動リング２０からマウントリング２２に回転力を伝達することが可能な面であれば、例えば垂直面に形成しても良い。
本実施の形態では、ストッパ５４のテーパ面５４Ａ、及びストッパ５６のテーパ面５６Ａの角部をエッジ形状に形成したが、図９に示すように、前記角部５９Ａ、５９Ｂを湾曲状に形成しても良い。これにより、ストッパ５４がストッパ５８に対して逃げ易くなるので、テーパ面５４Ａ、５６Ａ同士の摩擦力増大によるストッパ５４、５８の損傷を防止することができる。
【００２０】
本実施の形態では、ストッパ５４、５８のうち、一方のストッパ５４を弾性をもって支持したが、これに限られるものではなく、他方のストッパ５８のみを弾性をもって支持しても良く、両方のストッパ５４、５８を弾性をもって支持しても良い。
【００２１】
【発明の効果】
以上説明したように本発明に係るレンズ装置の取付構造によれば、マウント部材の締結終了後に、ケーシングから連動部材を介してマウント部材に過度の回転力が伝達されても、ストッパのうち弾性をもって支持された一方のストッパが、他方のストッパのテーパ面に強く押されて、他方のストッパとの当接位置から退避するので、締め過ぎによるストッパの破損を防止できる。
【００２２】
また、ケーブルの位置を調整する際には、マウント部材の締結後にケーシングを取り付け方向に回動させれば良い。この回転力は、マウント部材に伝達されないので、ケーシングの回動範囲を広くとることができる。
【図面の簡単な説明】
【図１】本発明のレンズ装置の取付構造が適用された監視カメラ用撮影レンズ装置の実施の形態を示す断面図
【図２】図１に示した撮影レンズ装置の要部断面図
【図３】図１中３−３線からみた連動リングとマウントリングの半断面図
【図４】連動リング側のストッパがマウントリング側のストッパに押されて係合位置から退避した状態を示す要部断面図
【図５】連動リング側のストッパがマウントリング側のストッパを通過して元の位置に復帰した状態を示す要部断面図
【図６】ケーシングの開方向の回転で、連動リング側のストッパとマウントリング側のストッパと係合した状態を示す要部断面図
【図７】閉方向の回転で当接するストッパ同士のテーパ面の隅部を湾曲面状に形成したストッパの要部断面図
【符号の説明】
１０…撮影レンズ装置
１２…ケーシング
２０…連動リング
２２…マウントリング
２４…カメラ本体
５４、５８…ストッパ
５４Ａ、５４Ｂ…テーパ面
５６…凹部
５８Ａ、５８Ｂ…テーパ面
【図１】
0003724522.tif 000002
【図２】
0003724522.tif 000003
【図３】
0003724522.tif 000004
【図４】
0003724522.tif 000005
【図５】
0003724522.tif 000006
【図６】
0003724522.tif 000007
【図７】
0003724522.tif 000008